(57)【要約】      （修正有）【課題】スタンバイモードでの電気モータの回転動作を検出する検出器を提供する。【解決手段】スタンバイモードでの電気モータの回転動作を検出するための検出器を開示し、該検出器は、制御回路Ｂと、サイリスタＣと、電源回路Ａと、検出される電気モータＤとを備え、前記電源回路、電気モータおよびサイリスタが直列接続され、且つ前記制御回路の一つの出力端子が前記サイリスタのゲートに接続された検出器において、前記検出器が感知回路Ｆと表示灯Ｅを更に備え、前記感知回路が、前記電源回路、電気モータおよびサイリスタのループが導通しているかどうかを検出するために使用され、前記感知回路の一つの出力が前記制御回路に接続されると共にフィードバック信号を前記制御回路に送出し、前記制御回路が前記表示灯のオン／オフを制御するために前記表示灯に接続される。【選択図】図２
0003107274.tif 000002
【実用新案登録請求の範囲】
【請求項１】
スタンバイモードでの電気モータの回転動作を検出するための検出器であって、制御回路と、サイリスタと、電源回路と、検出されるべき電気モータとを備え、前記制御回路の一つの出力端子が前記サイリスタのゲートに接続され、且つ前記電源回路、電気モータおよびサイリスタが直列接続された検出器において、前記検出器が感知回路と表示灯を更に備え、前記感知回路が、前記電源回路、電気モータおよびサイリスタのループが導通しているかどうかを検出するために使用され、前記感知回路の一つの出力が前記制御回路に接続されると共にフィードバック信号を前記制御回路に送出し、前記制御回路が前記表示灯のオン／オフを制御するために前記表示灯に接続された出力端子を備えたことを特徴とする検出器。
【請求項２】
前記電源回路が交流電源であり、且つ、前記サイリスタがトライアックであることを特徴とする請求項１記載の検出器。
【請求項３】
前記感知回路がホールセンサを使用し、該ホールセンサは前記電気モータの回転動作を検出するために適切な位置に置かれたことを特徴とする請求項２記載の検出器。
【請求項４】
前記感知回路がフォトダイオードを使用し、前記サイリスタがトライアックであり、前記感知回路の感知端子が、前記トライアックのＴ１端子およびＴ２端子にそれぞれ接続されたことを特徴とする請求項２記載の検出器。
【請求項５】
前記感知回路がフォトダイオードを使用し、前記サイリスタがｓｃｒであり、前記感知回路の感知端子が前記ｓｃｒのアノード及びカソードにそれぞれ接続されたことを特徴とする請求項２記載の検出器。
【請求項６】
前記感知回路が相互インダクタンスを使用し、前記インダクタンスの一次回路が前記トライアックと電気モータとの間に接続され、前記インダクタンスの二次回路が前記制御回路にフィードバック信号を送出することを特徴とする請求項２記載の検出器。
【考案の詳細な説明】
【技術分野】
【０００１】
本考案は、モータ駆動の家庭用器具に関し、特にスタンバイモードでの電気モータの回転動作を検出するための検出器に関する。
【背景技術】
【０００２】
既存のモータ駆動の家庭用機器においては、それらがスタンバイモード（電源はオンであるが、機器(machine)がまだ起動していない場合）で正常かどうかを示すための検出器は提供されていない。従って、もし異常が発生すれば、ユーザは、機器が起動したときに、特にブレード又はブレードディスクを有するものについては怪我をすることがあり得る。
【考案の開示】
【考案が解決しようとする課題】
【０００３】
本考案の主目的は、従来技術の欠点を克服し、スタンバイモードでの電気モータの回転動作を検出するための検出器を提供することである。
【課題を解決するための手段】
【０００４】
本考案による検出器は、制御回路と、サイリスタと、電源回路と、検出される電気モータとを備え、前記電源回路、電気モータおよびサイリスタが直列接続され、且つ前記制御回路の一つの出力端子が前記サイリスタのゲートに接続された検出器において、前記検出器が感知回路と表示灯を更に備え、前記感知回路が、前記電源回路、電気モータおよびサイリスタのループが導通しているかどうかを検出するために使用され、前記感知回路の一つの出力が前記制御回路に接続されると共にフィードバック信号を前記制御回路に送出し、前記制御回路が前記表示灯のオン／オフを制御するために前記表示灯に接続されたことを特徴とする。
【０００５】
前記電源回路は交流電源であってもよく、前記サイリスタはトライアックであってもよい。
前記感知回路はホールセンサを使用してもよく、それは前記電気モータの回転動作を検出するために適切な位置に置かれてもよい。
【０００６】
前記感知回路は、フォトダイオードを使用してもよい。もし前記サイリスタがトライアックであれば、前記感知回路の感知端子は、前記トライアックのＴ１端子およびＴ２端子にそれぞれ接続されてもよい。もし前記サイリスタがｓｃｒであれば、前記感知回路の感知端子は、前記ｓｃｒのアノード及びカソードにそれぞれ接続されてもよい。
【０００７】
前記感知回路は、相互インダクタンスを使用してもよく、前記インダクタンスの一次回路は、前記トライアックと電気モータとの間に接続され、前記インダクタンスの二次回路は、前記制御回路にフィードバック信号を送出する。
【０００８】
前記検出器の動作原理は次のようである。
正常なスタンバイモードでは、前記電源回路、電気モータおよびサイリスタのループは、非導通である。もし前記電気モータの回転動作が検出されなければ、または、前記サイリスタが非導通であることが検出されれば、それは前記機器が正常な状態にあることを意味し、そして前記機器に対して更なる動作の許可を示すために、前記表示灯が前記制御回路の制御の下に点滅(flash)する。もし、前記電気モータの回転動作が検出され、または、前記サイリスタが導通していることが検出されれば、それは、前記機器が異常な状態にあることを意味し、そして前記機器に対し異常および更なる如何なる動作の禁止を示すために、前記表示灯が前記制御回路の制御の下にオフする。
【考案を実施するための最良の形態】
【０００９】
実施形態１：
図１に示されるように、第１実施形態においては、検出器(detector)は、制御回路(control circuit)Ｂ、サイリスタ(thyristor)Ｃ、電気モータ(electric motor)Ｄ、電源回路(power supply circuit)Ａ、感知回路(sensing circuit)Ｆ、および表示灯(indicator light)Ｅを備える。
感知回路Ｆは、ホールセンサ(Hall sensor)を用いてもよく、それは電気モータＤの回転動作(rotation movement)を検出するために適切な位置に置かれる。
感知回路Ｆの一つの出力端子は制御回路Ｂに接続されると共に、該制御回路Ｂにフィードバック信号を送出する。制御回路Ｂは、表示灯Ｅのオン／オフを制御するために表示灯Ｅに接続された出力端子を備える。
【００１０】
図５に示されるように、電源回路Ａは交流電流(alternating current)を供給しており、サイリスタＣはトライアック(triac)であり、そして表示灯Ｅは赤色ＬＥＤ灯である。もしモータＤが回転していなければ、モータＤの磁界は変化せず、そして感知回路Ｆは起動されず、且つ感知回路Ｆの脚(leg)３は制御回路Ｂにハイレベルの電圧信号を送出した状態を維持する。判定後に、制御回路Ｂは、レベルが或るパターンで交互に切り替わる電圧信号をＬＥＤ灯Ｅに送出する。制御回路Ｂから送出された電圧信号がハイレベルのときにはＬＥＤ灯Ｅがオンとなる一方、制御回路Ｂから送出された電圧信号がロウレベルのときにはＬＥＤ灯がオフになって、これによりＬＥＤ灯が点滅(flash)する。もしモータＤが回転していれば、感知回路Ｆは、モータＤの変化する磁界により起動され、そして、感知回路Ｆの脚２および脚１が導通し、且つ感知回路Ｆの脚３が制御回路Ｂにロウレベルの電圧信号を入力する。判定後に、制御回路Ｂは、ロウレベルの電圧信号をＬＥＤ灯Ｅに送出し、そしてＬＥＤ灯Ｅがオフとなる。
【００１１】
実施形態２：
図２に示されるように、実施形態１との違いは、感知回路Ｆがフォトダイオードを使用しており、感知回路Ｆの二つの端子がトライアックＣの端子Ｔ１および端子Ｔ２にそれぞれ接続されていることである。もし端子Ｔ１およびＴ２が導通(conducting)していれば、感知回路Ｆには電流が流れず、そして感知回路Ｆがフィードバック信号を制御回路Ｂに送出し、赤色表示灯Ｅが制御回路Ｂの制御の下にオフとなる。もし端子Ｔ１およびＴ２が非導通(non-conducting)であれば、感知回路Ｆには電流の流れが存在し、そして感知回路Ｆがフィードバック信号を制御回路Ｂに送出し、赤色表示灯Ｅが制御回路Ｂの制御の下に点滅する。
【００１２】
図６に示されるように、トライアックの端子Ｔ１およびＴ２は導通していれば、感知回路Ｆの脚３および脚２の間には電流の流れは存在せず、そしてフォトダイオードは非導通となり、感知回路Ｆの脚１は、ハイレベルの電圧を制御回路Ｂに送出した状態を維持する。判定後、制御回路Ｂはロウレベルの電圧信号をＬＥＤ灯Ｅに送出し、そしてＬＥＤ灯Ｅがオフとなる。もしトライアックの端子Ｔ１およびＴ２が非導通であれば、感知回路Ｆの脚３および脚２の間には電流の流れが存在し、そしてフォトダイオードが導通し、感知回路Ｆの脚３がロウレベルの電圧信号を制御回路Ｂに入力する。判定後、制御回路Ｂは、レベルが或るパターンで交互に切り替わる電圧信号をＬＥＤ灯Ｅに送出して、それを点滅させる。
【００１３】
実施形態３：
図３に示されるように、実施形態１との違いは、感知回路Ｆがフォトダイオードを使用しており、二つの感知点がモータＤの二つの端子にそれぞれ接続されていることである。もしモータのループに電流の流れが存在すれば、感知回路Ｆに電流の流れが存在し、そして感知回路Ｆがフィードバック信号を制御回路Ｂに送出し、赤色表示灯Ｅが制御回路Ｂの制御の下にオフとなる。もしモータのループに電流の流れが存在しなければ、感知回路Ｆに電流の流れが存在せず、そして感知回路Ｆがフィードバック信号を制御回路Ｂに送出し、赤色表示灯Ｅが制御回路Ｂの制御の下に点滅する。
【００１４】
図７に示されるように、もしモータのループに電流の流れが存在すれば、感知回路Ｆの脚３と脚２との間に電流の流れが存在し、そしてフォトダイオードが導通し、感知回路Ｆの脚３がロウレベルの電圧信号を制御回路Ｂに入力する。判定後、制御回路Ｂはロウレベルの電圧信号をＬＥＤ灯Ｅに送出し、そしてＬＥＤ灯Ｅがオフとなる。もしモータのループに電流の流れが存在しなければ、感知回路Ｆの脚３と脚２との間に電流の流れが存在せず、そしてフォトダイオードが非導通となる。感知回路Ｆの脚１はハイレベルの電圧を制御回路Ｂに送出した状態を維持する。判定後、制御回路Ｂは、レベルが或るパターンで交互に切り替わる電圧信号をＬＥＤ灯Ｅに送出して、それを点滅させる。
【００１５】
実施形態２および３の何れかについて：
感知回路Ｆは、図１０に示されるように、一つのダイオードが４つのダイオードに置き換えられた別の回路であってもよい。
フォトダイオードは、８１７シリーズまたは他のシリーズから選択されてもよい。ダイオードは、シリーズ１Ｎ４００１−４００７から選択されてもよい。
【００１６】
実施形態４：
図４および図８に示されるように、実施形態１との違いは、感知回路Ｆが相互インダクタンスＧを使用しており、インダクタンスＧの一次回路がトライアックＣと電気モータＤとの間に接続され、インダクタンスＧの二次回路がフィードバック信号を制御回路Ｂに送出することである。もしインダクタンスＧの一次回路に電流の流れが存在すれば、インダクタンスＧの二次回路には電圧と同様の電流の流れが存在し、そして、感知回路Ｆはロウレベルの電圧信号を制御回路Ｂに入力する。判定後、制御回路Ｂはロウレベルの電圧信号をＬＥＤ灯Ｅに送出し、そしてＬＥＤ灯Ｅがオフとなる。もしインダクタンスＧの一次回路に電流の流れが存在しなければ、インダクタンスＧの二次回路には電流の流れが存在せず、感知回路Ｆは、ハイレベルの電圧を制御回路Ｂに送出した状態を維持する。判定後、制御回路Ｂは、レベルが或るパターンで交互に切り替わる電圧信号をＬＥＤ灯Ｅに送出して、それを点滅させる。
【００１７】
実施形態１，２，３，４の何れについても：
灯Ｅは、図９に示されるような代替的方法で制御回路Ｂと接続されてもよい。制御回路Ｂがロウレベルの電圧を送出すると灯Ｅがオンとなり、一方、制御回路Ｂがハイレベルの電圧を送出すると灯Ｅがオフとなる。
【図面の簡単な説明】
【００１８】
【図１】感知回路がホールセンサを用いた本考案の第１実施形態の図式的回路ブロック図である。
【図２】感知回路がサイリスタをはさんで接続された本考案の第２実施形態の図式的回路ブロック図である。
【図３】感知回路が電気モータをはさんで接続された本考案の第３実施形態の図式的回路ブロック図である。
【図４】本考案の第４実施形態の図式的回路ブロック図である。
【図５】図１に示された検出器の回路接続図である。
【図６】図２に示された検出器の回路接続図である。
【図７】図３に示された検出器の回路接続図である。
【図８】図４に示された検出器の回路接続図である。
【図９】本考案による表示灯の別の回路を示す回路接続図である。
【図１０】本考案による制御回路の別の回路を示す回路接続図である。
【符号の説明】
【００１９】
Ａ  電源回路
Ｂ  制御回路
Ｃ  サイリスタ
Ｄ  電気モータ
Ｅ  表示灯
Ｆ  ホールセンサ
【図１】
0003107274.tif 000003
【図２】
0003107274.tif 000004
【図３】
0003107274.tif 000005
【図４】
0003107274.tif 000006
【図５】
0003107274.tif 000007
【図６】
0003107274.tif 000008
【図７】
0003107274.tif 000009
【図８】
0003107274.tif 000010
【図９】
0003107274.tif 000011
【図１０】
0003107274.tif 000012